(57)【要約】【課題】照明器具を天井裏から施工およびランプメンテナンスできるとともに、構成を簡単にすることができコスト安にすることができる天井照明システムを提供する。【解決手段】器具本体３はランプ１２を装着したランプソケット７を有する。透光性カバー１７はランプ１２の前面に配置される。天井バー１は天井に格子状に配置されてファンフィルタユニット２や天井材を支持する。天井バー１は、器具本体３を着脱自在に収納するスペースを内部に有し、ランプ１２を装着した状態で器具本体３を出し入れする上開口４を上面に有し、透光性カバー１７で閉じられる下開口５を下面に有している。【選択図】        図１
2006040751.tif 000002
【特許請求の範囲】
【請求項１】
ランプを装着するランプソケットを有する器具本体と、前記ランプの前面に配置される透光性カバーと、天井に格子状に配置されて天井設備品を支持する天井バーとを備え、
前記天井バーは、前記器具本体を着脱自在に収納するスペースを内部に有し、前記ランプソケットに前記ランプを装着した状態で前記器具本体を出し入れする上開口を上面に有し、かつ前記透光性カバーで閉じられる下開口を下面に有する天井照明システム。
【請求項２】
前記透光性カバーは両側が前記天井バーの下開口の縁部に係止して前記下開口より下方に突出する樋状であり、前記ランプは前記透光性カバーの内部に入り込んでいる請求項１記載の天井照明システム。
【請求項３】
前記器具本体は、前記器具本体を前記天井バーに着脱自在に取付けるとともに前記器具本体の取付状態で前記上開口を塞ぐ取付具を有する請求項１記載の天井照明システム。
【発明の詳細な説明】
【技術分野】
【０００１】
この発明は、半導体工場のクリーンルームなどの天井照明システムに関するものである。
【背景技術】
【０００２】
クリーンルームは挨が無く、常にクリーンな状態が保たれていなければならない。このため、クリーンルーム内は空気の強制対流とフィルタにより、クリーン度を保っている。例えば図２１に示すように、建物８０の内部の一部に形成されたクリーンルーム７０の天井面には、ファンフィルタユニット７１が、その支持フレームとなるように格子状に構成された天井バー７２によって支持され、床面にはペン、ビス、髪の毛等の大きいものを取り除くためのフィルタ７３が施設されている。ファンフィルタユニット７１は、天井裏の空気内の埃をカットし、クリーンな空気を天井からクリーンルーム内の床に直線的に矢印のように対流させる。その時、クリーンルーム７０内に埃があった場合も、床面のフィルタ７３を通してファンフィルタユニット７１でその挨をカットする。
【０００３】
図２２は１個のファンフィルタユニット７１の分解斜視図であり、７１ａはフィルタ部、７１ｂはファン部である。
【０００４】
図２３は図２２のように格子状に組まれた天井バー７２に複数のファンフィルタユニット７１を配置した図である。
【０００５】
照明器具７６は、第１の従来例として図２４に示すように、空気対流に影響を及ぼさなく、埃の付着しにくいように、ファンフィルタユニット７１間に設置された天井バー７２の下側にボルト７４で直に取付られている。ランプ交換は図２５に示すように作業者が床においた脚立７５上で作業する。
【０００６】
第２の従来例として、図２６に示すようにフィルタユニットが支持される天井バー７２内に照明器具７６を収納したものである（特許文献１参照）。
【０００７】
第３の従来例は図２７に示すように、一対の天井バー７２間に照明器具７６を保持している（特許文献２参照）。
【特許文献１】特開２００３−３２８４９４
【特許文献２】特開２０００−１８２４２９
【発明の開示】
【発明が解決しようとする課題】
【０００８】
第１の従来例の照明器具７６は、ファンフィルタユニット７１間の天井バー７２の下面に直に取り付けられている。しかし近年、半導体工場のクリーンルームの天井高さは、約３ｍ程度の設備８０を収めるようにする関係上、３．５ｍ〜４ｍ程度あるのが一般的であるため、ランプ交換の際にはクリーンルーム内で脚立７５を用いたり足場を組む必要があり、このため作業性が悪く作業コストも大きい。
【０００９】
またランプ交換作業時には、照明器具７６内から微量の挨が出る可能性があること、生産稼動中は脚立７５を配置できずまた足場を組めないこと、そしてファンフィルタユニット７１の運転中は気流があるため作業による埃が設備８０に悪影響を与えるなどから、設備８０の運転を停止する必要がある。しかし、設備８０は２４時間運転のため、ランプ切れでランプ交換の度に、設備８０の運転を停止することはできない。このため、ランプ寿命にかかわらず、１年に１回、特定な日（正月休み・盆休）を設定し、一斉にランプ交換を実施しているが、経済性が悪い。
【００１０】
第２の従来例は、照明器具７６に埃が付着するのをより一層防止することができるが、上記と同様な欠点がある。
【００１１】
第３の従来例は、照明器具７６を天井裏側からランプ交換することができるため、ランプ交換の時に、設備を運転した状態でクリーンルーム内のクリーン環境を保ったまま、作業をすることができる。しかし、一対の天井バー７２間に照明器具７６が配置されているので、天井バー数が増大しコスト高になるとともに、構成および施工が複雑になり、さらに照明器具７６の両側にファンフィルタユニット７１が配置される場合にはフィルタ間の間隔が広くなるため乱気流が発生し、クリーンルーム内の清浄度が確保されない。
【００１２】
したがって、この発明の目的は、照明器具を天井裏から施工およびランプメンテナンスできるとともに、構成を簡単にすることができコスト安にすることができる天井照明システムを提供することである。
【課題を解決するための手段】
【００１３】
この発明の天井照明システムは、器具本体がランプを装着するランプソケットを有する。透光性カバーは前記ランプの前面に配置される。天井バーは、天井に格子状に配置されて天井設備品を支持する。前記天井バーは、前記器具本体を着脱自在に収納するスペースを内部に有し、前記ランプソケットに前記ランプを装着した状態で前記器具本体を出し入れする上開口を上面に有し、かつ前記透光性カバーで閉じられる下開口を下面に有する。
【００１４】
上記構成において、前記透光性カバーは両側が前記天井バーの下開口の縁部に係止して前記下開口より下方に突出する樋状であり、前記ランプは前記透光性カバーの内部に入り込んでいる。
【００１５】
上記構成において、前記器具本体は、前記器具本体を前記天井バーに着脱自在に取付けるとともに前記器具本体の取付状態で前記上開口を塞ぐ取付具を有する。
【発明の効果】
【００１６】
この発明の天井照明システムによれば、器具本体を出し入れする上開口を天井バーに設け、透光性カバーを天井バーの下開口に設置したため、ランプ交換の際には天井バーの上開口からランプソケットにランプを装着した状態の器具本体を取り出し、ランプを交換して再度天井バー内に収納することができる。このため、天井裏から施工およびランプ交換が容易にできる。したがってクリーンルームの場合、ランプ交換の際に、クリーンルーム設備の運転を停止することなく、都合の良いときに天井裏から、クリーンルーム内のクリーン環境を保ったままランプ寿命でランプが切れたものだけをランプ交換することができる。さらに天井裏からランプ交換を行なうため、脚立が必要でなく、足場を組む必要もない。また器具本体を天井バー内に収納するためフィルタ間は１本の天井バーでよくかつその幅分の間隔が形成されるだけのため、従来例と比較して構成が簡単になりコスト安になるとともに乱気流の発生を抑制でき、クリーンルームの清浄度を確保することができる。
【００１７】
透光性カバーは両側が天井バーの下開口の縁部に係止して下開口より下方に突出する樋状であり、ランプは透光性カバーの内部に進入しているため、室内の下方および側方を含む広範囲に照射することができる。
【００１８】
器具本体で、天井バーの上開口を密閉することにより、埃を入り込みにくくすることができる。
【発明を実施するための最良の形態】
【００１９】
この発明の第１の実施の形態を図１から図８により説明する。すなわち、この半導体工場のクリーンルーム用天井照明システムは、クリーンルーム内の天井高さ位置に天井バー１が格子状に組まれて架設されている。各格子穴は、天井設備品例えばファンフィルタユニット２を支持する天井フレームをなす大きさであり、ファンフィルタユニット２の周縁の係止部２ａを天井バー１の各上面の側縁に係載してファンフィルタユニット２を支持している。ファンフィルタユニット２以外の天井バー１の格子穴には天井材その他の天井設備品を配置している。
【００２０】
天井バー１は図４（ａ）に示すように例えば角筒形であり、器具本体３を内部に収納できるスペースを有し、上面に上開口４をスリットにより形成し、下面に下開口５をスリットにより形成している。２３は器具本体３を取付けるためのねじ孔である。
【００２１】
器具本体３は、例えば長方体形状の箱形であり、器具本体３の内部の一側壁に端子台８および安定器を含む点灯装置９が取付けられ、器具本体３の下端の両端に一対のランプソケット７が器具本体３からそれぞれ垂下しかつ相対向するように取付けられている。端子台８、点灯装置９およびランプソケット７間に器具本体３内で配線１０が施され、端子台８に入力線１１が接続されている。ランプソケット７にランプ１２が装着される。また器具本体３の上端に金属製の取付具６が取付けられている。
【００２２】
取付具６は底壁１３と、底壁１３より立ち上がった周壁１８と、周壁１８の外周より張り出した係止片１４を有する。取付具６の底壁１３を器具本体３の上端に取付けるとともに、底壁１３に一対の逆Ｕ字形の把持部１５を取付けている。この場合、把持部１５の取付けで取付具６と器具本体３の連結を兼用することができる。係止片１４は天井バー１の上開口４の縁部にシール部材を介して密着係止し、４箇所でねじ１６により天井バー１のねじ孔２３に取付けられ、同時に上開口４を塞いでいる。このとき把持部１５は天井裏から容易に把持できるようにするため上開口４より上方に若干突出するように寸法を設定している。
【００２３】
透光性カバー１７は、図４（ｂ）に示すように樋状部１７ａと、樋状部１７ａの両端壁を形成する端壁部１７ｂと、上端外周の全体にわたって張り出したつば１７ｃとで形成されている。樋状部１７ａが天井バー１の内部より下開口５を通り抜けて天井バー１の外部より下方に突出し、つば１７ｃが下開口５の縁部にシール部材を介して密着係止する。ランプソケット７に装着されたランプ１２はランプ１２の前面に透光性カバー１７が位置するように樋状部１７ａの内部に入り込んでいる。
【００２４】
図６は、器具本体３を天井バー１に施工する場合を示す。透光性カバー１７を図６のように上開口４より内部に落とし込み、下開口５に通し、つば１７ｃを下開口５の縁部に係止する。ランプ１２をランプソケット７に装着した状態で器具本体３を上開口４より内部に挿入し係止片１４を上開口４の縁部に係止し、ねじ１６で天井バー１に取付ける。
【００２５】
図７はランプ交換を示す。ねじ１６を天井バー１から外し、天井裏から把持部１５を把持して器具本体３を上開口４から引き抜き、ランプソケット７のランプ１２を交換し、再度上開口４より天井バー１内に挿入しねじ１６をねじ孔２３に締めつける。
【００２６】
なお、ランプ１２の点灯時の熱は筒状の天井バー１内を通ってクリーンルーム外に排出される。
【００２７】
また、器具本体３の上端は取付具６で覆われるため器具本体３の上端の上板はなくてもよく、器具本体３の下端の下板もなくてもよい。
【００２８】
この発明の第２の実施の形態を図９から図１４により説明する。すなわち、第１の実施の形態と比較して、透光性カバー１７が平板状に形成されている。またランプ１７を天井バー１内に位置させるため器具本体３の取付具６を上下逆にして器具本体３に被せるように取付け、取付具６の上部に把持部１５を取付け、係止片１４をねじ１６で天井バー１のねじ孔２３に取付けている。また反射板２４が器具本体３の下端部よりランプ１２の両側に延びるように器具本体３に取付けられ、反射板２４の下端部は透光性カバー１７の上面に当接している。この実施の形態では把持部１５が天井バー１よりも大きく突出するので、狭いファンフィルタユニット２間での把持部１５のつかみが容易になる。その他は第１の実施の形態と同様である。
【００２９】
この発明の第３の実施の形態を図１５から図２０により説明する。すなわち、第１の実施の形態と比較して、樋状の透光性カバー１７をシール部材を介して天井バー１の下からねじ２０により取付けている。また器具本体３の上板２１に、２個のハット形の取付具６を把持部１５の取付けにより同時に上板２１に取付け、取付具６の両端の係止片１４をねじ１６で天井バー１の上面のねじ孔２３に取付けている。
【００３０】
なおこの実施の形態において、上開口４は取付具６で覆われていないため、ランプ熱は天井裏に放熱される。
【００３１】
またこの発明は天井高さの高い高天井にも適用できる。また天井バーの下開口は、天井バーの垂直下方および側方にわたって開口してもよい。
【図面の簡単な説明】
【００３２】
【図１】この発明の第１の実施の形態の部分断面図である。
【図２】その縦断面図である。
【図３】その平面図である。
【図４】（ａ）は天井バーの部分斜視図、（ｂ）は透光性カバーの斜視図である。
【図５】天井の部分断面図である。
【図６】照明器具の施工過程を示す部分断面図である。
【図７】ランプ交換を示す部分断面図である。
【図８】その縦断面図である。
【図９】第２の実施の形態の部分断面図である。
【図１０】その縦断面図である。
【図１１】天井の部分断面図である。
【図１２】照明器具の施工過程を示す部分断面図である。
【図１３】ランプ交換を示す部分断面図である。
【図１４】その縦断面図である。
【図１５】第３の実施の形態の部分断面図である。
【図１６】その縦断面図である。
【図１７】その平面図である。
【図１８】照明器具の施工過程を示す部分断面図である。
【図１９】ランプ交換を示す部分断面図である。
【図２０】その縦断面図である。
【図２１】クリーンルームの概略断面図である。
【図２２】ファンフィルタユニットの分解斜視図である。
【図２３】複数のファンフィルタユニットを天井バーに設置した状態の斜視図である。
【図２４】天井バーに照明器具を取付けた第１の従来例の概略断面図である。
【図２５】そのランプ交換状態の断面図である。
【図２６】天井バー内に照明器具を収納した第２の従来例の概略断面図である。
【図２７】一対の天井バー間に照明器具を架設した第３の従来例の概略断面図である。
【符号の説明】
【００３３】
１    天井バー
２    ファンフィルタユニット
３    器具本体
４    上開口
５    下開口
６    取付具
７    ランプソケット
９    点灯装置
１２    ランプ
１７    透光性カバー
２４    反射板
【図１】
2006040751.tif 000003
【図２】
2006040751.tif 000004
【図３】
2006040751.tif 000005
【図４】
2006040751.tif 000006
【図５】
2006040751.tif 000007
【図６】
2006040751.tif 000008
【図７】
2006040751.tif 000009
【図８】
2006040751.tif 000010
【図９】
2006040751.tif 000011
【図１０】
2006040751.tif 000012
【図１１】
2006040751.tif 000013
【図１２】
2006040751.tif 000014
【図１３】
2006040751.tif 000015
【図１４】
2006040751.tif 000016
【図１５】
2006040751.tif 000017
【図１６】
2006040751.tif 000018
【図１７】
2006040751.tif 000019
【図１８】
2006040751.tif 000020
【図１９】
2006040751.tif 000021
【図２０】
2006040751.tif 000022
【図２１】
2006040751.tif 000023
【図２２】
2006040751.tif 000024
【図２３】
2006040751.tif 000025
【図２４】
2006040751.tif 000026
【図２５】
2006040751.tif 000027
【図２６】
2006040751.tif 000028
【図２７】
2006040751.tif 000029